(57)【要約】【課題】人体通信における信号受信の利得を向上する。【解決手段】送信信号によって人体周りに励起された交流電界下に置かれる受信電極２１に接続した周波数フィルタ２２１と、周波数フィルタ２２１の後段に設けた、多段接続された二つのフィルタアンプ２２２とより信号受信部２２を構成する。各フィルタアンプ２２２は、コイルセンサ２２２１と、コイルセンサ２２２１の出力を入力とする増幅回路２２２２とより構成され、コイルセンサ２２２１は、コア３１１を有するコイル３１２と、コア３１１の上面に固定したセンサ電極３１３と、コイルセンサ２２２１の共振周波数を設定する可変コンデンサ３１５とを含めて構成する。【選択図】図２
2008053917.tif 000002
【特許請求の範囲】
【請求項１】
交流電界を誘起する媒体が近接または接触される受信電極と、
多段接続された複数のフィルタアンプとを有し、
前記各フィルタアンプは、
磁性体コアと、前記磁性体コアに巻き回されたコイルと、前記磁性体コアに密着させて配置したセンサ電極とを有するコイルセンサと、
前記コイルの誘起電圧を増幅した交流電圧信号を出力する増幅回路とを有し、
前記多段接続された複数のフィルタアンプのうちの１段目のフィルタアンプのセンサ電極には、前記受信電極に誘起された交流電圧信号が印加され、２段目以降の各段のフィルタアンプのセンサ電極には、前段のフィルタアンプの増幅回路が出力する交流電圧信号が印加されていることを特徴とする電界検出装置。
【請求項２】
請求項１記載の電界検出装置であって、
前記受信電極に誘起される交流電圧信号中の所要周波数帯域以外の所定の周波数帯域の成分を減衰させる周波数フィルタを有し、
前記１段目のフィルタアンプの前記センサ電極には、前記受信電極に誘起された交流電圧信号が、前記周波数フィルタにおける前記減衰が施された後に印加されることを特徴とする電界検出装置。
【請求項３】
請求項１記載の電界検出装置であって、
前記各フィルタアンプは、各々周波数フィルタを有し、
前記１段目のフィルタアンプの周波数フィルタは、前記受信電極に誘起される交流電圧信号中の所要周波数帯域以外の所定の周波数帯域の成分を減衰し、前記１段目のフィルタアンプの前記センサ電極には、前記受信電極に誘起された交流電圧信号が、前記１段目のフィルタアンプの周波数フィルタにおける前記減衰が施された後に印加され、
２段目以降の各段のフィルタアンプの周波数フィルタは、前段のフィルタアンプの増幅回路が出力する交流電圧信号中の前記所定の周波数帯域の成分を減衰し、当該段のフィルタアンプの前記センサ電極には、前段のフィルタアンプの増幅回路が出力する交流電圧信号が、当該段のフィルタアンプの周波数フィルタにおける前記減衰が施された後に印加されることを特徴とする電界検出装置。
【請求項４】
交流電界を誘起する媒体が近接または接触される受信電極と、
受信電極に接続した周波数フィルタと、
フィルタアンプとを有し、
前記フィルタアンプは、
磁性体コアと、前記磁性体コアに巻き回されたコイルと、前記磁性体コアに密着させて配置したセンサ電極とを有するコイルセンサと、
前記コイルの誘起電圧を増幅した交流電圧信号を出力する増幅回路とを有し、
前記フィルタアンプのセンサ電極には、前記周波数フィルタの出力が印加され、
前記周波数フィルタは、前記受信電極に誘起される交流電圧信号中の所要周波数帯域以外の所定の周波数帯域の成分を減衰させて出力することを特徴とする電界検出装置。
【請求項５】
請求項１、２、３または４記載の電界検出装置であって、
前記コイルセンサは、前記コイルと共に共振回路を形成するコンデンサを有することを特徴とする電界検出装置。
【請求項６】
伝送媒体を介して信号を送受する通信システムに用いられる受信装置であって、
請求項５記載の電界検出装置を有し、
前記伝送媒体は、所定の搬送波で変調した変調信号によって駆動された交流電界を、当該伝送媒体の周辺に誘起し、
当該電界検出装置の前記受信電極には、前記伝送媒体が近接または接触され、
前記共振回路の共振周波数は前記搬送波の周波数と等しく設定されることを特徴とする受信装置。
【請求項７】
請求項６記載の受信装置であって、
前記伝送媒体は、人体または生物体であることを特徴とする受信装置。
【請求項８】
入力交流電圧信号の所定の周波数帯域成分を抽出して増幅し、出力交流電圧信号として出力するフィルタアンプであって、
磁性体コアと、前記磁性体コアに巻き回されたコイルと、前記磁性体コアに密着させて配置した、前記入力電圧信号が印加されるセンサ電極と、前記コイルと共に共振回路を形成するコンデンサとを有するコイルセンサと、前記コイルの誘起電圧を増幅し前記出力交流電圧信号として出力する増幅回路とを有することを特徴とするフィルタアンプ。
【発明の詳細な説明】
【技術分野】
【０００１】
本発明は、主として、人体に誘起させた交流電界を用いて通信を行う通信システムに関するものである。
【背景技術】
【０００２】
人体に誘起させた交流電界を用いて通信を行う通信システムとしては、送信機において、送信情報で変調した電位信号を容量結合などにより人体に印加することにより、人体周りに交流電界を誘起させると共に、受信機において、人体が誘起した交流電界を検出し、検出した交流電界から受信情報を復調するシステムが知られている（たとえば、特許文献１、２、３）。
【０００３】
ここで、これらのシステムでは、受信機における交流電界の検出は、人体近傍に配置した電極を介して人体周りの電界を電気光学結晶に結合し、電界強度を電気光学結晶の偏光特性の変化として検出（特許文献１、特許文献２）したり、人体近傍に配置した電極に人体周りの電界下に配置した電極にゲートを接続したFETを設け、当該FETの出力から電界強度を検出（特許文献３）することにより行われている。
【特許文献１】特開2001-298425号公報
【特許文献２】特開2001-352298号公報
【特許文献３】特開2004-282733号公報
【発明の開示】
【発明が解決しようとする課題】
【０００４】
前記電気光学結晶を電界強度の検出に用いる技術によれば、電気光学結晶の他に電気光学結晶の偏光特性を測定するためのレーザ装置などが必要となるため、受信機が複雑、高コストになる。
一方、人体近傍に配置した電極に人体周りの電界下に配置した電極にゲートを接続したFETを設ける技術によれば、ゲート電圧がFETのグランドから浮遊し、その動作範囲が保証されないために、安定した通信動作は望めない。
また、一般環境では各種電気製品の発生する環境電界によるノイズが比較的大きいために、人体に誘起した電界を検出する前記各技術によれば、安定した通信を行えない場合が生じえる。
そこで、本出願人は、先に行った特許出願（特願2005-32527）において、図６に示すような電界検出部を備えた受信装置を提案した。
図示するように、この電界検出部は、導電体である受信電極６０とコイルセンサ６１とより構成される。なお、図６ａは上方より見た電界検出部の構成を模式的に表し、図６ｂは測方より見た電界検出部の構成を模式的に表している。また、図６ｃは、図６ａの断面線A-Aによるコイルセンサの断面を表している。
【０００５】
図示するように、コイルセンサ６１は、フェライト製のコア６１１を有するコイル６１２と、コアの上部に固定した銅性のセンサ電極６１３と、センサ電極を封止した周囲空間よりも透磁率の大きな封止体６１４を有している。また、センサ電極は導線を介して受信電極に接続されている。
【０００６】
そして、このような構成において、人体が受信電極に接近すると、人体周りに誘起された電界が、受信電極６０からコイルセンサ６１のセンサ電極６１３に結合され、センサ電極６１３やコイルセンサ６１のコア６１１に交流電圧が発生し、この交流電圧によりコイル６１２の中央孔中に、人体周りの電界の強さに応じた磁束が発生する。そして、この磁束の変化に応じてコイル６１２に誘起電圧が生じる。
【０００７】
したがって、このような電界検出部を用い、人体に誘起した交流電界を、コイル６１出力に表れる交流電圧信号として検出することができる。
しかし、このような電界検出部の構成によれば、その用途によっては、必ずしも当該用途に充分なＳＮ比や利得を得られない場合があった。
そこで、本発明は、コイルのコア上にセンサ電極を備えた素子を用いて、より良好なＳＮ比や、より大きな利得をもって、電界を検出することを課題とする。
【課題を解決するための手段】
【０００８】
前記課題達成のために、本発明は、交流電界を誘起する媒体が近接または接触される受信電極と、多段接続された複数のフィルタアンプとを備えた電界検出装置を提供する。ここで、前記各フィルタアンプは、磁性体コアと、前記磁性体コアに巻き回されたコイルと、前記磁性体コアに密着させて配置したセンサ電極とを有するコイルセンサと、前記コイルの誘起電圧を増幅した交流電圧信号を出力する増幅回路とを備えたものであり、前記多段接続された複数のフィルタアンプのうちの１段目のフィルタアンプのセンサ電極には、前記受信電極に誘起された交流電圧信号が印加され、２段目以降の各段のフィルタアンプのセンサ電極には、前段のフィルタアンプの増幅回路が出力する交流電圧信号が印加される。
【０００９】
このような電界検出装置によれば、フィルタアンプの持つ増幅機能の複数回の適用によって、より大きな利得をもって、交流電界を検出することができるようになる。また、検出のターゲットとする交流電界の周波数帯域が既知である場合には、コイルセンサの共振周波数を適当に設定することにより、コイルセンサが持つ共振周波数によって定まる周波数帯域のバンドパス機能（ターゲットとする周波数帯域に対する同調機能）を複数回適用し、より良いＳＮ比をもって、電界を検出することができるようになる。
【００１０】
なお、このようなコイルセンサの共振周波数は、コイルセンサに、前記コイルと共に共振回路を形成するコンデンサを設け、当該コンデンサのキャパシタンスを利用して設定することが好ましい。
また、前記課題達成のために、本発明は、交流電界を誘起する媒体が近接または接触される受信電極と、受信電極に接続した周波数フィルタと、フィルタアンプとを備えた電界検出装置を提供する。ここで、前記フィルタアンプは、磁性体コアと、前記磁性体コアに巻き回されたコイルと、前記磁性体コアに密着させて配置したセンサ電極とを有するコイルセンサと、前記コイルの誘起電圧を増幅した交流電圧信号を出力する増幅回路とを備えており、前記フィルタアンプのセンサ電極には、前記周波数フィルタの出力が印加され、前記周波数フィルタは、前記受信電極に誘起される交流電圧信号中の所要周波数帯域以外の所定の周波数帯域の成分を減衰させて出力する。
【００１１】
このような電界検出装置によれば、環境電界ノイズ成分を抑制することにより、電界検出のＳＮ比を向上することができる。
なお、このような電界検出装置においても、前記コイルセンサに、前述のように前記コイルと共に共振回路を形成するコンデンサを備えてよい。
また、このような周波数フィルタは、上述した多段接続したフィルタアンプを備える電界検出装置にも適用することができる。すなわち、たとえば、電界検出装置の、受信電極と前記１段目のフィルタアンプの前記センサ電極との間に、このような周波数フィルタを設けたり、各フィルタアンプの入力段に、このような周波数フィルタを設けるなどしてよい。
【００１２】
なお、このような共振回路をコイルセンサに形成した電界検出装置を用いて、伝送媒体を介して信号を送受する通信システムに用いられる受信装置を構成することができる。ただし、前記伝送媒体は、所定の搬送波で変調した変調信号によって駆動された交流電界を、当該伝送媒体の周辺に誘起するものである。そして、当該受信装置において、当該電界検出装置の前記受信電極は、前記伝送媒体が近接または接触されるものであり、前記共振回路の共振周波数は前記搬送波の周波数と等しく設定する。
【００１３】
また、このような受信装置において、前記伝送媒体は、人体または生物体であってよい。
ところで、以上で示したような、磁性体コアと、前記磁性体コアに巻き回されたコイルと、前記磁性体コアに密着させて配置した、前記入力電圧信号が印加されるセンサ電極と、前記コイルと共に共振回路を形成するコンデンサとを有するコイルセンサと、前記コイルの誘起電圧を増幅し前記出力交流電圧信号として出力する増幅回路とを有するフィルタアンプは、単体で、入力交流電圧信号の所定の周波数帯域成分を抽出して増幅し、出力交流電圧信号として出力するフィルタアンプとして使用することもできる。
【発明の効果】
【００１４】
以上のように、本発明によれば、コイルのコア上にセンサ電極を備えた素子を用いて、より良好なＳＮ比や、より大きな利得をもって、電界を検出することができる。
【発明を実施するための最良の形態】
【００１５】
以下、本発明の通信システムの一実施形態について人体通信への適用を例にとり説明する。
まず、第１の実施形態について説明する。
図１ａに、本実施形態に係る通信システムの機能構成を示す。
図示するように、通信システムは、人体３を介して通信を行う送信機１と受信機２とを含んで構成される。
また、送信機１は、受信機２に送信する情報である通信情報を生成する送信側データ処理部１１、通信情報を変調し送信信号として出力する変調器１２、送信信号を人体３に印加し人体周りに交流電界を誘起する送信電極１３とを有する。そして、受信機２は、通信時に、人体周りに誘起された交流電界下におかれる受信電極２１、受信電極２１に作用する電界の電界強度変化を検出し受信信号として出力する信号受信部２２、受信信号を検波、復調し通信情報を出力する復調部２３、復調部２３から出力される通信情報を処理する受信側データ処理部２４とを有する。
【００１６】
ここで、送信機１は、カード状の装置であり、送信機１をポケットに入れて携帯したり、送信機１を鞄にいれて携帯したときに、送信電極１３と人体３とが容量結合するように構成されている。
次に、受信機２は、図１ｂに外観を示すように、受信電極２１を収容したパネル部２０１と、信号受信部２２と復調部２３と受信側データ処理部２４を収容した受信機本体部２０２とを有する。そして、受信電極２１は、図１ｃのパネル部２０１の上面図と図１ｄのパネル部２０１の断面図に示すように、人体手をその上に近接させることができるように、パネル部２０１の表側に非導電性のカバー２０３で覆われた形態で設けられている。そして、このような構造によって、送信機１を携帯した人体３の手がパネル部２０１上にかざされたり人体手がパネル部２０１に接触したときに、受信電極２１に人体周りの交流電界が作用するようになっている。
【００１７】
次に、受信機２の信号受信部２２の構成を図２ａに示す。
図示するように信号受信部２２は、入力を受信電極２１に接続した周波数フィルタ２２１と、多段接続された二つのフィルタアンプ２２２とを有している。そして、多段接続された二つのフィルタアンプ２２２のうちの一段目のフィルタアンプ２２２の入力は、周波数フィルタ２２１の出力に接続し、一段目のフィルタアンプ２２２の出力が二段目のフィルタアンプ２２２の入力となり、二段目のフィルタアンプ２２２の出力が信号受信部２２の出力となる。
【００１８】
そして、各フィルタアンプ２２２は、コイルセンサ２２２１と、コイルセンサ２２２１の出力を入力とする増幅回路２２２２とより構成され、フィルタアンプ２２２の入力がコイルセンサ２２２１の入力となり、増幅回路２２２２の出力がフィルタアンプ２２２の出力となる。
【００１９】
次に、図３に、周波数フィルタ２２１、コイルセンサ２２２１、増幅回路２２２２の構成例を示す。
まず、図３ａに示すように、周波数フィルタ２２１は、コンデンサ３０１と抵抗３０２とより構成されたＣＲフィルタであり、ハイパスフィルタとして機能する。また、その入力は導電線を介して受信電極２１に接続される。
次に、図３ｂに示すように、コイルセンサ２２２１は、フェライト製のコア３１１を有するコイル３１２と、コア３１１の上面に固定した銅性のセンサ電極３１３と、センサ電極３１３をコア３１１の上面上に封止する周囲空間よりも透磁率の大きな封止体３１４と、コイルセンサ２２２１の共振周波数を設定するための可変コンデンサ３１５を有している。なお、封止体３１４としては、磁性粉末を混合したエポキシ樹脂などを用いることができる。また、センサ電極３１３は、コア３１１にその一部または全部をコア３１１に埋め込んだ形態で配置するようにしてもよい。
【００２０】
ここで、１段目のフィルタアンプ２２２のセンサ電極３１３は導電線を介して周波数フィルタ２２１の出力に接続されおり、２段目のフィルタアンプのセンサ電極３１３は導電線を介して１段目のフィルタアンプ２２２の増幅回路２２２２の出力に接続されている。そして、コイル３１２に生じた誘起電圧を出力する。
なお、図３ｂ１は上方より見たコイルセンサ２２２１の構成を模式的に表し、図３ｂ２は測方より見たコイルセンサ２２２１の構成を模式的に表している。
次に、図３ｃに示すように、増幅回路２２２２は、コイルセンサ２２２１のコイル３１２の出力する誘起電圧をゲート電圧とするＦＥＴ３２３と、電源３２１によってゲート電圧に応じた大きさで流れることになるＦＥＴ３２３のソース-ドレイン電流を電圧に変換するための抵抗３２２と、直流カット用のコンデンサ３２４を備えている。そして、抵抗３２２によって変換した電圧が増幅回路２２２２の出力となる。
【００２１】
ここで、コイルセンサ２２２１の共振周波数は、可変コンデンサ３１５を用いて、送信機１の変調器１２における送信信号の変調に用いる搬送波の周波数に設定される。すなわち、たとえば、変調器１２が１ＭＨｚの搬送波によるＡＭ変調を行うものであれば、コイルセンサ２２２１の共振周波数を１ＭＨｚに設定する。また、周波数フィルタ２２１の周波数特性は、送信機１から変調されて送信される送信信号の周波数帯域より低周波数の環境電界によるノイズ成分を減衰させるものとする。すなわち、変調器１２が１ＭＨｚの搬送波によるＡＭ変調を行うものであって、送信信号の帯域幅が高々数百ＫＨｚであり、数十から数百ＫＨｚのノイズ成分が主たるノイズ成分として環境電界によって誘起されるような場合には、周波数フィルタ２２１を、たとえば、４００ＫＨｚをカットオフ周波数として有するハイパスフィルタとする。
【００２２】
さて、このような信号受信部２２の構成において、人体に誘起された交流電界が受信電極２１に作用されると、この交流電界によって受信電極２１に誘起された交流電圧信号が導電線を介して周波数フィルタ２２１に入力する。そして、周波数フィルタ２２１に入力した交流電圧信号は、低周波数成分が減衰された後、多段接続された２つのフィルタアンプ２２２のうちの一段目のフィルタアンプ２２２のコイルセンサ２２２１のセンサ電極３１３に出力される。
【００２３】
次に、この周波数フィルタ２２１より出力された交流電圧信号によって、一段目のフィルタアンプ２２２のコイルセンサ２２２１のセンサ電極３１３やコア３１１に交流電流が発生し、この交流電流によりコイル３１２の中央孔中に、人体周りの交流電界に追従する磁束変化が発生する。そして、この磁束変化に応じてコイル３１２に交流の誘起電圧が生じ、この交流の誘起電圧を一段目フィルタアンプの増幅回路２２２２によって増幅した交流電圧信号が、二段目のフィルタアンプ２２２に出力される。そして、さらに、この１段目のフィルタアンプ２２２により出力された交流電圧信号によって、二段目のフィルタアンプ２２２のセンサ電極３１３やコア３１１に交流電流が発生し、この交流電流によりコイル３１２の中央孔中に、一段目フィルタアンプ２２２から出力された交流電圧信号に追従する磁束変化が発生する。そして、この磁束の変化に応じてコイル３１２に交流の誘起電圧が生じ、このコイル３１２に誘起電圧を二段目フィルタアンプの増幅回路２２２２によって増幅した交流電圧信号が受信信号として復調器２３に出力される。
【００２４】
さて、ここで、信号受信部２２の周波数フィルタ２２１は、前述のように低周波数の環境電界によるノイズ成分を減衰させるために設けたものである。
ここで、図４に、周波数フィルタ２２１を設けた効果を示すために行った実験結果を示す。
この実験では、図４ａ１、ａ２に示すように、送信機１から１ＭＨｚの送信信号を、人体３を模した伝送媒体４０の一端に印加すると共に、伝送媒体に信号生成装置４１から環境電界によるノイズを模擬する３００ＫＨｚの信号を伝送媒体に印加し、伝送媒体５０の他端において、受信電極２１で伝送媒体５０周りに発生する電界を検出するようにした。そして、図４ａ１に示すように受信電極２１を直接フィルタアンプに接続した場合のフィルタアンプ２２２の出力ＯＵＴｒｅｆと、図４ａ２に示すように受信電極２１を周波数フィルタ２２１を介してフィルタアンプ２２２に接続した場合のフィルタアンプ２２２の出力ＯＵＴを観察し、図４ｂ１の受信電極２１を直接フィルタアンプに接続した場合の出力ＯＵＴｒｅｆの信号波形と、図４ｂ２の受信電極２１を周波数フィルタ２２１を介してフィルタアンプ２２２に接続した場合の出力ＯＵＴの信号波形を得た。
【００２５】
この結果、両信号波形より理解されるように、周波数フィルタ２２１によって、環境電界によるノイズを模擬する３００ＫＨｚの信号成分が効果的に抑制されていることが確認された。
なお、このような周波数フィルタ２２１としては、送信信号の周波数帯域を透過するバンドパスフィルタや、送信信号の周波数帯域より高周波数のノイズ成分を除去するローパスフィルタを用いるようにしてもよい。
次に、信号受信部２２におけるフィルタアンプ２２２の多段接続は、各フィルタアンプ２２２が持つ、コイルセンサ２２２１の共振周波数によって定まる周波数帯域のバンドパス機能（搬送波に対する同調機能）と、信号増幅機能とを重ねて利用することにより、受信信号のＳＮ比と利得を向上するために行ったものである。
【００２６】
ここで、図５に、フィルタアンプ２２２の多段接続の効果を示すために行った実験結果を示す。
この実験では、図５ａに示すように、送信機１から１ＭＨｚの送信信号を、人体３を模した伝送媒体５０の一端に印加し、伝送媒体５０の他端において、受信電極２１で伝送媒体５０周りに発生する電界を検出するようにした。そして、１段目のフィルタアンプ２２２の出力ＯＵＴｒｅｆと、２段目のフィルタアンプ２２２の出力ＯＵＴを観察し、図５ｂ１の１段目のフィルタアンプ２２２の出力ＯＵＴｒｅｆの信号波形と、図５ｂ２の２段目のフィルタアンプ２２２の出力ＯＵＴの信号波形を得た。この結果、両信号波形の振幅の比より理解されるように、フィルタアンプ２２２の多段接続により、受信信号の大きな利得が実現されることが確認された。また、多段接続による、利得の増大に伴う、ノイズ成分の顕在化は認められず、このことより、多段接続によりＳＮ比が向上していることが推認された。
【００２７】
以上、本発明の実施形態について説明した。
ところで、受信機２における信号受信部２２は、図２ａに示した構成に代えて、他の構成によって実施することもできる。すなわち、図２ｂに示すように、フィルタアンプ２２３を、周波数フィルタ２２１とコイルセンサ２２２１と増幅回路２２２２とを当該順序で接続して構成すると共に、このようなフィルタアンプ２２３を二つ多段接続して信号受信部２２を構成するようにしてもよい。また、図２ｃに示すように、周波数フィルタ２２１と、周波数フィルタ２２１の後段に設けた、多段接続した３以上のフィルタアンプ２２２とより信号受信部２２を構成するようにしてもよい。または、周波数フィルタ２２１とコイルセンサ２２２１と増幅回路２２２２とを当該順序で接続して構成したフィルタアンプ２２３を３以上多段接続して信号受信部２２を構成するようにしてもよい。
【００２８】
なお、以上の実施形態で示したフィルタアンプ２２２は、単体で、周波数について選択的に交流電気信号を増幅する電気回路として使用することができる。
【図面の簡単な説明】
【００２９】
【図１】本発明の実施形態に係る通信システムの構成を示す図である。
【図２】本発明の実施形態に係る信号受信部の構成例を示す図である。
【図３】本発明の実施形態に係る信号受信部の各部の構成を示す図である。
【図４】本発明の実施形態に係る周波数フィルタの作用を示す図である。
【図５】本発明の実施形態に係るフィルタアンプの多段接続の作用を示す図である。
【図６】本出願人の先行特許出願に係る通信部の構成を示す図である。
【符号の説明】
【００３０】
１…送信機、２…受信機、３…人体、１１…送信側データ処理部、１２…変調器、１３…送信電極、２１…受信電極、２２…信号受信部、２３…復調部、２４…受信側データ処理部、２０１…パネル部、２０２…受信機本体部、２２１…周波数フィルタ、２２２…フィルタアンプ、３０１…コンデンサ、３０２…抵抗、３１１…コア、３１２…コイル、３１３…センサ電極、３１４…封止体、３１５…可変コンデンサ、３２１…電源、３２２…抵抗、３２３…ＦＥＴ、３２４…コンデンサ、２２２１…コイルセンサ、２２２２…増幅回路。
【図１】
2008053917.tif 000003
【図２】
2008053917.tif 000004
【図３】
2008053917.tif 000005
【図４】
2008053917.tif 000006
【図５】
2008053917.tif 000007
【図６】
2008053917.tif 000008